(57)【要約】【課題】着色剤残量が減少した原因を把握するための情報を容易に取得できるようにする。【解決手段】情報処理装置１０は、カートリッジ４１に関する着色剤関連情報を、予め設定された取得条件が成立する度に取得して、記憶部１２に記憶する。情報処理装置１０は、少なくとも日付を含む複数の時刻と、着色剤残量との関係を示すグラフ情報を含むグラフ表示画面を表示部１３に表示する。情報処理装置１０は、グラフ情報における特定の位置が選択されているか否かを判断する。情報処理装置１０は、特定の位置が選択されている場合に、カートリッジ４１が交換されてから、選択位置に対応する時刻までに使用された着色剤の量に関する使用関連情報を示す使用関連オブジェクトをグラフ表示画面と共に表示部１３に表示する。【選択図】図１
2020166472.tif 000002
【特許請求の範囲】
【請求項１】
表示部と、
入力部と、
記憶部と、
制御部と
を備える表示制御装置であって、
前記制御部は、
画像形成装置が画像を印刷するために使用される着色剤を収容するカートリッジに関する着色剤関連情報を、予め設定された取得条件が成立する度に取得して、前記記憶部に記憶する情報取得処理と、
前記情報取得処理により取得された前記着色剤関連情報に基づいて、少なくとも日付を含む複数の時刻と、前記カートリッジに収容されている前記着色剤の残量を含む着色剤残量との関係を示すグラフ情報を含むグラフ表示画面を前記表示部に表示するグラフ表示処理と、
前記入力部から取得した入力操作情報に基づいて、前記グラフ表示画面に表示されている前記グラフ情報における特定の位置が選択されているか否かを判断する選択判断処理と、
前記グラフ情報における前記特定の位置が選択されていると前記選択判断処理により判断された場合に、前記カートリッジが交換されてから、選択された前記特定の位置である選択位置に対応する時刻までに使用された前記着色剤の量に関する使用関連情報を示す使用関連オブジェクトを前記グラフ表示画面と共に前記表示部に表示する関連情報表示処理と
を実行する表示制御装置。
【請求項２】
請求項１に記載の表示制御装置であって、
前記関連情報表示処理は、選択された前記特定の位置が前記グラフ情報における最新の時刻に対応している場合、前記カートリッジを交換する必要がある時期を予測した交換予測時期情報を示す交換予測時期オブジェクトを前記表示部に表示する表示制御装置。
【請求項３】
請求項１または請求項２に記載の表示制御装置であって、
前記使用関連情報は、前記カートリッジが交換されてから、前記選択位置に対応する時刻までに前記カートリッジに対して行われたクリーニングの回数を示すクリーニング回数情報を含む表示制御装置。
【請求項４】
請求項２に記載の表示制御装置であって、
前記画像形成装置は、前記画像形成装置の装着部に装着された前記カートリッジに収容されている前記着色剤の一部を貯留するサブタンクを備え、
前記関連情報表示処理は、前記選択位置が前記グラフ情報における最新の時刻に対応している場合、前記サブタンクが空になる時期を予測したサブタンク予測時期情報を示す空予測時期オブジェクトを前記表示部に表示する表示制御装置。
【請求項５】
請求項１〜請求項４の何れか１項に記載の表示制御装置であって、
前記画像形成装置は、前記画像形成装置の装着部に装着された前記カートリッジに収容されている前記着色剤の一部を貯留するサブタンクを備え、
前記関連情報表示処理は、前記サブタンクおよび前記カートリッジのインク使用情報と、インク残量とを含むオブジェクトを前記グラフ表示画面と共に表示する表示制御装置。
【請求項６】
請求項１〜請求項５の何れか１項に記載の表示制御装置であって、
前記取得条件は、前記カートリッジが交換されること、前記画像形成装置が印刷を実行すること、前記カートリッジがクリーニングされること、予め設定された定期取得日時であること、の少なくとも１つを含む表示制御装置。
【請求項７】
請求項１〜請求項６の何れか１項に記載の表示制御装置であって、
前記カートリッジに収容されている前記着色剤を使用して画像を印刷するように構成された印刷部を備える表示制御装置。
【請求項８】
表示部と、入力部と、記憶部と、制御部とを備える表示制御装置において用いられる表示制御方法であって、
画像形成装置が画像を印刷するために使用される着色剤を収容するカートリッジに関する着色剤関連情報を、予め設定された取得条件が成立する度に取得して、前記記憶部に記憶する情報取得ステップと、
前記情報取得ステップにより取得された前記着色剤関連情報に基づいて、少なくとも日付を含む複数の時刻と、前記カートリッジに収容されている前記着色剤の残量を含む着色剤残量との関係を示すグラフ情報を含むグラフ表示画面を前記表示部に表示するグラフ表示ステップと、
前記入力部から取得した入力操作情報に基づいて、前記グラフ表示画面に表示されている前記グラフ情報における特定の位置が選択されているか否かを判断する選択判断ステップと、
前記グラフ情報における前記特定の位置が選択されていると前記選択判断ステップにより判断された場合に、前記カートリッジが交換されてから、選択された前記特定の位置である選択位置に対応する時刻までに使用された前記着色剤の量に関する使用関連情報を示す使用関連オブジェクトを前記グラフ表示画面と共に前記表示部に表示する関連情報表示ステップと
を備える表示制御方法。
【請求項９】
表示部と、入力部と、記憶部と、制御部とを備える表示制御装置において、前記制御部が実行可能な表示制御プログラムであって、
前記制御部に、
画像形成装置が画像を印刷するために使用される着色剤を収容するカートリッジに関する着色剤関連情報を、予め設定された取得条件が成立する度に取得して、前記記憶部に記憶する情報取得処理と、
前記情報取得処理により取得された前記着色剤関連情報に基づいて、少なくとも日付を含む複数の時刻と、前記カートリッジに収容されている前記着色剤の残量を含む着色剤残量との関係を示すグラフ情報を含むグラフ表示画面を前記表示部に表示するグラフ表示処理と、
前記入力部から取得した入力操作情報に基づいて、前記グラフ表示画面に表示されている前記グラフ情報における特定の位置が選択されているか否かを判断する選択判断処理と、
前記グラフ情報における前記特定の位置が選択されていると前記選択判断処理により判断された場合に、前記カートリッジが交換されてから、選択された前記特定の位置である選択位置に対応する時刻までに使用された前記着色剤の量に関する使用関連情報を示す使用関連オブジェクトを前記グラフ表示画面と共に前記表示部に表示する関連情報表示処理と
を実行させる表示制御プログラム。
【請求項１０】
画像形成装置との間でデータ通信を行うように構成された通信部と、
表示部と、
入力部と、
記憶部と、
制御部と
を備える情報処理装置であって、
前記制御部は、
前記画像形成装置が画像を印刷するために使用される着色剤を収容するカートリッジに関する着色剤関連情報を、予め設定された取得条件が成立する度に取得して、前記記憶部に記憶する情報取得処理と、
前記情報取得処理により取得された前記着色剤関連情報に基づいて、少なくとも日付を含む複数の時刻と、前記カートリッジに収容されている前記着色剤の残量を含む着色剤残量との関係を示すグラフ情報を含むグラフ表示画面を前記表示部に表示するグラフ表示処理と、
前記入力部から取得した入力操作情報に基づいて、前記グラフ表示画面に表示されている前記グラフ情報における特定の位置が選択されているか否かを判断する選択判断処理と、
前記グラフ情報における前記特定の位置が選択されていると前記選択判断処理により判断された場合に、前記カートリッジが交換されてから、選択された前記特定の位置である選択位置に対応する時刻までに使用された前記着色剤の量に関する使用関連情報を示す使用関連オブジェクトを前記グラフ表示画面と共に前記表示部に表示する関連情報表示処理と
を実行する情報処理装置。
【発明の詳細な説明】
【技術分野】
【０００１】
本開示は、画像形成装置に関する表示を制御する技術に関する。
【背景技術】
【０００２】
特許文献１には、着色剤残量の経時的変化を折れ線グラフで示し、折れ線で示された着色剤残量の変化から得られる近似直線を用いてカートリッジの交換時期を予測することが記載されている。
【先行技術文献】
【特許文献】
【０００３】
【特許文献１】特開２０１２−１２３３１１号公報
【発明の概要】
【発明が解決しようとする課題】
【０００４】
しかし、着色剤残量の経時的変化のみでは、画像形成装置の利用者は、着色剤がどのように使用されたことにより着色剤残量が減少したのかを把握することができないという問題があった。
【０００５】
本発明は、着色剤残量がどのように使用されたことにより減少したのかの原因を把握するための情報を容易に取得できるようにすることを目的とする。
【課題を解決するための手段】
【０００６】
本発明は、表示部と、入力部と、記憶部と、制御部とを備える表示制御装置であって、制御部は、情報取得処理と、グラフ表示処理と、選択判断処理と、関連情報表示処理とを実行する。
【０００７】
情報取得処理は、画像形成装置が画像を印刷するために使用される着色剤を収容するカートリッジに関する着色剤関連情報を、予め設定された取得条件が成立する度に取得して、記憶部に記憶する。
【０００８】
グラフ表示処理は、情報取得処理により取得された着色剤関連情報に基づいて、少なくとも日付を含む複数の時刻と、カートリッジに収容されている着色剤の残量を含む着色剤残量との関係を示すグラフ情報を含むグラフ表示画面を表示部に表示する。
【０００９】
選択判断処理は、入力部から取得した入力操作情報に基づいて、グラフ表示画面に表示されているグラフ情報における特定の位置が選択されているか否かを判断する。
関連情報表示処理は、グラフ情報における特定の位置が選択されていると選択判断処理により判断された場合に、カートリッジが交換されてから、選択された特定の位置である選択位置に対応する時刻までに使用された着色剤の量に関する使用関連情報を示す使用関連オブジェクトをグラフ表示画面と共に表示部に表示する。
【００１０】
このように構成された本発明の表示制御装置は、利用者が、着色剤の残量の経時的変化を示すグラフ情報における特定の位置を選択すると、カートリッジが交換されてから、選択位置に対応する時刻までに使用された着色剤の量に関する使用関連情報を表示する。これにより、本発明の表示制御装置は、グラフ情報における特定の位置を利用者に順次選択させるという簡便な方法により、複数の時刻における使用関連情報を利用者に提供することができる。このため、本発明の表示制御装置は、着色剤残量がどのように使用されたことにより減少したのかの原因を把握するための情報を利用者が容易に取得できるようにすることができる。
【図面の簡単な説明】
【００１１】
【図１】画像処理システムの構成を示すブロック図である。
【図２】第１情報取得処理を示すフローチャートである。
【図３】第２情報取得処理を示すフローチャートである。
【図４】グラフデータ算出処理の第１部分を示すフローチャートである。
【図５】グラフデータ算出処理の第２部分を示すフローチャートである。
【図６】グラフ表示処理を示すフローチャートである。
【図７】情報表示処理を示すフローチャートである。
【図８】折れ線グラフと使用関連オブジェクトとを示す図である。
【図９】折れ線グラフと、使用関連オブジェクトと、交換予測時期オブジェクトとを示す図である。
【図１０】グラフ表示期間内にカートリッジが交換されている場合における折れ線グラフを示す図である。
【発明を実施するための形態】
【００１２】
以下に本発明の実施形態を図面とともに説明する。
本実施形態の画像処理システム１は、図１に示すように、情報処理装置１０と、画像形成装置３０とを備える。情報処理装置１０と画像形成装置３０とは相互にデータ通信を行うことが可能である。
【００１３】
情報処理装置１０は、制御部１１と、記憶部１２と、表示部１３と、入力部１４と、通信部１５とを備える。これらの各部は、バスライン１８を介して相互に接続されている。
本実施形態では、制御部１１は、ＣＰＵを備える。記憶部１２は、例えばＲＯＭ、ＲＡＭ、ＮＶＲＡＭ、フラッシュメモリなどの半導体メモリを備える。すなわち、情報処理装置１０は、ＣＰＵおよび半導体メモリを含むマイクロコンピュータを備えている。
【００１４】
制御部１１は、非遷移的実体的記録媒体に記憶されたプログラムを実行することにより各種機能を実現する。本実施形態では、記憶部１２が、プログラムを記憶した非遷移的実体的記録媒体に該当する。情報処理装置１０が有する各種機能は、基本的には、制御部１１が記憶部１２に記憶されているプログラムを実行することにより実現される。なお、制御部１１により実現される各種機能は、プログラムの実行によって実現することに限るものではなく、その一部または全部について、一つあるいは複数のハードウェアを用いて実現してもよい。
【００１５】
記憶部１２には、各種のソフトウェアおよびデータが記憶されている。本実施形態では、記憶部１２に、ソフトウェアとして、表示制御プログラム２１が記憶されている。表示制御プログラム２１は、後述する第１，２情報取得処理、グラフデータ算出処理、グラフ表示処理および情報表示処理を実行するためのプログラムである。
【００１６】
表示部１３は、図示しない表示装置を備え、表示装置に各種画像を表示する。
入力部１４は、図示しないキーボードおよびマウスを介してユーザが行った入力操作を特定するための入力操作情報を出力する。
【００１７】
通信部１５は、有線または無線で接続された画像形成装置３０との間でデータ通信を行うことが可能である。
画像形成装置３０は、制御部３１と、記憶部３２と、表示部３３と、入力部３４と、印刷部３５と、通信部３６と、装着部３７と、カートリッジ回路３８とを備える。これらの各部は、バスライン３９を介して相互に接続されている。
【００１８】
制御部３１はＣＰＵを備える。記憶部３２は、例えばＲＯＭ、ＲＡＭ、ＮＶＲＡＭ、フラッシュメモリなどの半導体メモリを備える。すなわち、画像形成装置３０は、ＣＰＵおよび半導体メモリを含むマイクロコンピュータを備えている。
【００１９】
制御部３１は、非遷移的実体的記録媒体に記憶されたプログラムを実行することにより各種機能を実現する。本実施形態では、記憶部３２が、プログラムを記憶した非遷移的実体的記録媒体に該当する。なお、制御部３１により実現される各種機能は、プログラムの実行によって実現することに限るものではなく、その一部または全部について、一つあるいは複数のハードウェアを用いて実現してもよい。
【００２０】
表示部３３は、図示しない表示装置を備え、表示装置に各種画像を表示する。
入力部３４は、各種入力操作を受け付けるための入力用デバイスを備える。本実施形態の入力部３４は、入力用デバイスとしてタッチパネルを備える。
【００２１】
印刷部３５は、インクジェット技術の印刷機構を有し、シート状の記録用紙に画像を印刷することが可能である。
通信部３６は、有線または無線で接続された情報処理装置１０との間でデータ通信を行うことが可能である。
【００２２】
装着部３７は、カートリッジ４１が着脱可能に構成される。カートリッジ４１は、記録用紙に画像を印刷するために印刷部３５よって記録用紙に付着させる着色剤（本実施形態では、インク）を収容する。本実施形態のカートリッジ４１は、ブラック、シアン、マゼンタおよびイエローの着色剤の何れか一つを収容する。そして装着部４０には、ブラック、シアン、マゼンタおよびイエローそれぞれのカートリッジ４１が装着される。装着部３７は、カートリッジ４１が装着されると、その旨を示す装着信号を制御部３１へ出力する。
カートリッジ回路３８は、カートリッジ４１の装着部３７への装着または離脱によりカートリッジ４１の情報を取得することが可能である。
【００２３】
画像形成装置３０は、サブタンク４２を備える。カートリッジ４１が装着部３７に装着されると、カートリッジ４１からサブタンク４２へ至る流路により、カートリッジ４１に収容されている着色剤がサブタンク４２へ流出する。サブタンク４２は、カートリッジ４１から流出した着色剤を貯留する。そして、サブタンク４２から印刷部３５へ着色剤が流出することにより、印刷部３５に着色剤が供給される。
【００２４】
次に、情報処理装置１０の制御部１１が実行する第１情報取得処理の手順を説明する。第１情報取得処理は、制御部１１の動作中に繰り返し実行される処理であり、Ｓ１０，Ｓ５０，Ｓ７０のトリガが発生した時に、取得した情報を記憶する処理が実行される。
第１情報取得処理が実行されると、制御部１１は、図２に示すように、まずＳ１０にて、カートリッジ交換されたか否かを判断する。すなわち、制御部１１は、カートリッジ４１が装着部４０に装着されていない未装着状態から、カートリッジ４１が装着部４０に装着されている装着状態へ遷移したか否かを判断する。
【００２５】
ここで、カートリッジ交換されたと判断した場合には、制御部１１は、Ｓ２０にて、Ｓ１０で交換されたと判断されたカートリッジ４１の色（以下、該当色）に対応する現カートリッジ情報を、前カートリッジ情報として記憶部１２に記憶する。
【００２６】
記憶部３２には、現カートリッジ情報として、今回累積印刷ページ数Ｄ１、今回累積印刷時インク使用量Ｄ２、今回累積手動クリーニング回数Ｄ３および今回累積自動クリーニング回数Ｄ４が設けられている。
【００２７】
なお、今回累積印刷ページ数Ｄ１は、４つのカートリッジ４１の色（以下、カートリッジ色）のそれぞれに対応して設けられている。すなわち、４つのカートリッジ色の今回累積印刷ページ数Ｄ１として、今回累積印刷ページ数Ｄ１＿Ｂ，Ｄ１＿Ｃ，Ｄ１＿Ｍ，Ｄ１＿Ｙが設けられている。
【００２８】
同様に、今回累積印刷時インク使用量Ｄ２、今回累積手動クリーニング回数Ｄ３および今回累積自動クリーニング回数Ｄ４は、４つのカートリッジ色のそれぞれに対応して設けられている。
【００２９】
また記憶部３２には、前カートリッジ情報として、前回累積印刷ページ数Ｄ１１、前回累積印刷時インク使用量Ｄ１２、前回累積手動クリーニング回数Ｄ１３および前回累積自動クリーニング回数Ｄ１４が設けられている。
【００３０】
なお、前回累積印刷ページ数Ｄ１１は、４つのカートリッジ色のそれぞれに対応して設けられている。すなわち、４つのカートリッジ色の前回累積印刷ページ数Ｄ１１として、それぞれ前回累積印刷ページ数Ｄ１１＿Ｂ，Ｄ１１＿Ｃ，Ｄ１１＿Ｍ，Ｄ１１＿Ｙが設けられている。
【００３１】
同様に、前回累積印刷時インク使用量Ｄ１２、前回累積手動クリーニング回数Ｄ１３および前回累積自動クリーニング回数Ｄ１４は、４つのカートリッジ色のそれぞれに対応して設けられている。
【００３２】
すなわち、制御部１１は、Ｓ２０にて、具体的には、該当色の今回累積印刷ページ数Ｄ１の値を、該当色の前回累積印刷ページ数Ｄ１１に記憶する。例えば、該当色がブラックである場合には、制御部１１は、今回累積印刷ページ数Ｄ１＿Ｂの値を、前回累積印刷ページ数Ｄ１１＿Ｂに記憶する。
【００３３】
同様に、制御部１１は、該当色の今回累積印刷時インク使用量Ｄ２、今回累積手動クリーニング回数Ｄ３および今回累積自動クリーニング回数Ｄ４の値をそれぞれ、該当色の前回累積印刷時インク使用量Ｄ１２、前回累積手動クリーニング回数Ｄ１３および前回累積自動クリーニング回数Ｄ１４に記憶する。
【００３４】
そして制御部１１は、Ｓ３０にて、該当色の現カートリッジ情報をクリアする。具体的には、該当色の今回累積印刷ページ数Ｄ１、今回累積印刷時インク使用量Ｄ２、今回累積手動クリーニング回数Ｄ３および今回累積自動クリーニング回数Ｄ４の値を０に設定する。例えば、該当色がブラックである場合には、今回累積印刷ページ数Ｄ１＿Ｂ、今回累積印刷時インク使用量Ｄ２＿Ｂ、今回累積手動クリーニング回数Ｄ３＿Ｂおよび今回累積自動クリーニング回数Ｄ４＿Ｂの値を０に設定する。
【００３５】
さらに制御部１１は、Ｓ４０にて、Ｓ１０で交換されたと判断されたカートリッジ４１の交換日時を記憶部１２に記憶して、第１情報取得処理を終了する。
またＳ１０にて、カートリッジ交換されていないと判断した場合には、制御部１１は、Ｓ５０にて、画像形成装置３０で印刷が行われたか否かを判断する。具体的には、制御部１１は、印刷が完了したことを示す印刷完了通知を画像形成装置３０から受信した場合に、画像形成装置３０で印刷が行われたと判断する。ここで、画像形成装置３０で印刷が行われた場合には、制御部１１は、Ｓ６０にて、４つのカートリッジ色のそれぞれについて、累積印刷ページ数と、累積印刷時インク使用量とを算出し、第１情報取得処理を終了する。具体的には、まず、制御部１１は、画像形成装置３０から、４つのカートリッジ色のそれぞれについて、今回の印刷における印刷ページ数および印刷時インク使用量を示す今回印刷情報を受信する。そして制御部１１は、４つのカートリッジ色のそれぞれについて、今回累積印刷ページ数Ｄ１の値に、受信した印刷ページ数を加算した加算値を、今回累積印刷ページ数Ｄ１に記憶する。同様に制御部１１は、４つのカートリッジ色のそれぞれについて、今回累積印刷時インク使用量Ｄ２の値に、受信した印刷時インク使用量を加算した加算値を、今回累積印刷時インク使用量Ｄ２に記憶する。
【００３６】
またＳ５０にて、画像形成装置３０で印刷が行われていない場合には、制御部１１は、Ｓ７０にて、カートリッジ４１のクリーニングが行われたか否かを判断する。具体的には、制御部１１は、クリーニングが完了したことを示すクリーニング完了通知を画像形成装置３０から受信した場合に、カートリッジ４１のクリーニングが行われたと判断する。
【００３７】
ここで、カートリッジ４１のクリーニングが行われていない場合には、制御部１１は、第１情報取得処理を終了する。一方、カートリッジ４１のクリーニングが行われた場合には、制御部１１は、Ｓ８０にて、累積クリーニング回数を更新して、第１情報取得処理を終了する。具体的には、制御部１１は、まず、クリーニングが行われたカートリッジ４１の色、および、クリーニングが手動であるか自動であるかを、クリーニング完了通知に基づいて判断する。そして、クリーニングが手動である場合には、制御部１１は、クリーニングが行われたカートリッジ色の今回累積手動クリーニング回数Ｄ３をインクリメント（すなわち、１加算）する。
【００３８】
一方、クリーニングが自動である場合には、制御部１１は、クリーニングが行われたカートリッジ色の今回累積自動クリーニング回数Ｄ４をインクリメントする。
次に、情報処理装置１０の制御部１１が実行する第２情報取得処理の手順を説明する。第２情報取得処理は、制御部１１の動作中に繰り返し実行される処理である。
【００３９】
第２情報取得処理が実行されると、制御部１１は、図３に示すように、まずＳ２１０にて、定期取得日時であるか否かを判断する。定期取得日時は、例えば、毎日０時０分である。
ここで、定期取得日時でない場合には、制御部１１は、第２情報取得処理を終了する。一方、定期取得日時である場合には、制御部１１は、Ｓ２２０にて、今回の定期取得日時と、累積印刷ページ数と、累積印刷時インク使用量と、累積クリーニング回数とを記憶部１２に記憶して、第２情報取得処理を終了する。具体的には、制御部１１は、定期取得日時と、各カートリッジ色の今回累積印刷ページ数Ｄ１の値と、各カートリッジ色の今回累積印刷時インク使用量Ｄ２の値と、各カートリッジ色の今回累積手動クリーニング回数Ｄ３の値と、各カートリッジ色の今回累積自動クリーニング回数Ｄ４の値とを記憶部１２に記憶する。また制御部１１は、定期取得日時と、各カートリッジ色の前回累積印刷ページ数Ｄ１１の値と、各カートリッジ色の前回累積印刷時インク使用量Ｄ１２の値と、各カートリッジ色の前回累積手動クリーニング回数Ｄ１３の値と、各カートリッジ色の前回累積自動クリーニング回数Ｄ１４の値とを記憶部１２に記憶する。
【００４０】
次に、情報処理装置１０の制御部１１が実行するグラフデータ算出処理の手順を説明する。グラフデータ算出処理は、インク残量の折れ線グラフの表示を指示する入力操作情報を入力部１４から取得した場合に実行される。
【００４１】
グラフデータ算出処理が実行されると、制御部１１は、図４に示すように、まずＳ３１０にて、グラフ表示開始日をＭ月Ｄ日に設定する。グラフ表示開始日は、例えば、現時点から６カ月前である。
【００４２】
そして制御部１１は、Ｓ３２０にて、Ｍ２月Ｄ２日を、Ｍ月Ｄ日から予め設定されたグラフ間隔後に設定する。本実施形態では、グラフ間隔は、Ｍ月Ｄ日から、次の月の初日までの日数である。
【００４３】
そして制御部１１は、Ｓ３３０にて、Ｍ２月Ｄ２日が現在より前であるか否かを判断する。ここで、Ｍ２月Ｄ２日が現在より前である場合には、制御部１１は、Ｓ３４０にて、記憶部１２から、４つのカートリッジ色のそれぞれについて、Ｍ２月Ｄ２日における今回累積印刷ページ数Ｄ１、今回累積印刷時インク使用量Ｄ２、今回累積手動クリーニング回数Ｄ３および今回累積自動クリーニング回数Ｄ４の値を取得する。
【００４４】
また制御部１１は、Ｓ３５０にて、４つのカートリッジ色のそれぞれについて、Ｍ２月Ｄ２日におけるインク残量と、平均カバレッジと、ＩＳＯ換算枚数とを算出する。インク残量は、カートリッジ４１とサブタンク４２とにより収容可能なインク収容量と、Ｓ３４０で取得した累積印刷時インク使用量との差分により算出される。平均カバレッジは、「（Ｓ３４０で取得した累積印刷時インク使用量）／（Ｓ３４０で取得した累積印刷ページ数）／（Ａ４用紙にカバレッジ１００％で印刷した時のインク使用量）」により算出される。ＩＳＯ換算枚数は、「（Ｓ３４０で取得した累積印刷時インク使用量）／（ＩＳＯ換算用基準インク使用量）」により算出される。
【００４５】
そして制御部１１は、Ｓ３６０にて、Ｍ２月Ｄ２日をＭ月Ｄ日として、Ｓ３３０に移行する。
またＳ３３０にて、Ｍ２月Ｄ２日が現在より前でない場合には、制御部１１は、Ｓ３７０にて、グラフ表示期間内にカートリッジ４１が交換されたか否かを判断する。グラフ表示期間は、グラフ表示開始日から現時点までの期間である。
【００４６】
ここで、グラフ表示期間内にカートリッジ４１が交換された場合には、制御部１１は、Ｓ３８０にて、記憶部１２から、交換されたカートリッジ４１の色について、カートリッジ４１の交換日以降で定期取得日時に取得した情報における前カートリッジ情報を取得する。具体的には、記憶部１２から、交換されたカートリッジ４１の色について、交換日以降で定期取得日時に取得した情報における前回累積印刷ページ数Ｄ１１、前回累積印刷時インク使用量Ｄ１２、前回累積手動クリーニング回数Ｄ１３および前回累積自動クリーニング回数Ｄ１４の値を取得する。
【００４７】
また制御部１１は、Ｓ３９０にて、交換されたカートリッジ４１の色について、交換日時におけるインク残量と、平均カバレッジと、ＩＳＯ換算枚数とを算出し、Ｓ４００に移行する。インク残量は、カートリッジ４１とサブタンク４２とにより収容可能なインク収容量と、Ｓ３８０で取得した累積印刷時インク使用量との差分により算出される。平均カバレッジは、「（Ｓ３８０で取得した累積印刷時インク使用量）／（Ｓ３８０で取得した累積印刷ページ数）／（Ａ４用紙にカバレッジ１００％で印刷した時のインク使用量）」により算出される。ＩＳＯ換算枚数は、「（Ｓ３８０で取得した累積印刷時インク使用量）／（ＩＳＯ換算用基準インク使用量）」により算出される。なお、Ｓ３８０，Ｓ３９０の処理は、全ての交換時に対して実行される。
【００４８】
またＳ３７０にて、グラフ表示期間内にカートリッジ４１が交換されていない場合には、制御部１１は、Ｓ４００に移行する。
Ｓ４００に移行すると、図５に示すように、制御部１１は、４つのカートリッジ色のそれぞれについて、現時点における今回累積印刷ページ数Ｄ１、今回累積印刷時インク使用量Ｄ２、今回累積手動クリーニング回数Ｄ３および今回累積自動クリーニング回数Ｄ４の値を取得する。
【００４９】
また制御部１１は、Ｓ４１０にて、４つのカートリッジ色のそれぞれについて、現時点におけるインク残量と、平均カバレッジと、ＩＳＯ換算枚数とを算出する。インク残量は、カートリッジ４１とサブタンク４２とにより収容可能なインク収容量と、Ｓ４００で取得した累積印刷時インク使用量との差分により算出される。平均カバレッジは、「（Ｓ４００で取得した累積印刷時インク使用量）／（Ｓ４００で取得した累積印刷ページ数）／（Ａ４用紙にカバレッジ１００％で印刷した時のインク使用量）」により算出される。ＩＳＯ換算枚数は、「（Ｓ４００で取得した累積印刷時インク使用量）／（ＩＳＯ換算用基準インク使用量）」により算出される。
【００５０】
そして制御部１１は、Ｓ４２０にて、４つのカートリッジ色のそれぞれについて、現時点におけるインク残量に基づき、現時点におけるインク残量で印刷することができる原稿枚数を示す印刷可能枚数と、カートリッジ４１を交換する必要がある時期を予測した交換予測時期とを算出し、グラフデータ算出処理を終了する。具体的には、制御部１１は、まず、ＩＳＯ換算での印刷可能枚数と、使用状況換算での印刷可能枚数とを算出する。ＩＳＯ換算での印刷可能枚数は、国際標準化機構が制定した規格で規定される原稿および設定環境に基づいて算出される印刷可能枚数である。使用状況換算での印刷可能枚数は、実際に画像形成装置３０が印刷した原稿および設定環境により消費されたインク量のデータに基づいて算出される印刷可能枚数である。
【００５１】
さらに、制御部１１は、カートリッジ４１が空になることによる第１交換予測時期と、サブタンク４２が空になることによる第２交換予測時期とを算出する。
第２交換予測時期は、現時点での日付に印刷可能日数を加算することにより算出される。印刷可能日数は、「（使用状況換算での印刷可能枚数）／平均１日印刷枚数」により算出される。平均１日印刷枚数は、「累積印刷ページ数／（カートリッジ４１が交換されてから現時点までの日数）」により算出される。
【００５２】
第１交換予測時期は、現時点での日付にカートリッジ空日数を加算することにより算出される。カートリッジ空日数は、「（印刷可能日数）×（カートリッジ４１のインク残量）／（カートリッジ４１のインク残量＋サブタンク４２のインク残量）」により算出される。
【００５３】
次に、情報処理装置１０の制御部１１が実行するグラフ表示処理の手順を説明する。グラフ表示処理は、インク残量の折れ線グラフの表示を指示する入力操作情報を入力部１４から取得した場合に実行される。
【００５４】
グラフ表示処理が実行されると、制御部１１は、図６に示すように、まずＳ５１０にて、グラフデータの算出が完了したか否かを判断する。具体的には、制御部１１は、グラフデータ算出処理が完了した場合に、グラフデータの算出が完了したと判断する。ここで、グラフデータの算出が完了していない場合には、制御部１１は、Ｓ５１０の処理を繰り返すことによりグラフデータの算出が完了するまで待機する。
【００５５】
そして、グラフデータの算出が完了すると、制御部１１は、Ｓ５２０にて、４つのカートリッジ色のそれぞれについて、インク残量と、算出されたインク残量に対応する日付とに基づき、折れ線グラフを作成し、この折れ線グラフを含むグラフ表示画面を表示部１３に表示して、グラフ表示処理を終了する。
【００５６】
図８に示すグラフ表示画面ＤＧ１は、グラフ表示処理により表示されるグラフ表示画面の一例である。グラフ表示画面ＤＧ１は折れ線グラフＧＲ１を含む。折れ線グラフＧＲ１は、縦軸をインク残量［％］とし、横軸を日時とした折れ線グラフである。折れ線Ｌ１は、ブラックのインク残量を示す。折れ線Ｌ２は、マゼンタのインク残量を示す。折れ線Ｌ３は、シアンのインク残量を示す。折れ線Ｌ４は、イエローのインク残量を示す。
【００５７】
また、折れ線Ｌ１，Ｌ２，Ｌ３，Ｌ４上において月の初日に対応する箇所には点が表示される。また、折れ線Ｌ１，Ｌ２，Ｌ３，Ｌ４上において現時点に対応する箇所にも点が表示される。そして、現時点に対応する点は、現時点ではない日時に対応する点と異なるように表示される。例えば、イエローのインク残量を示す折れ線Ｌ４上の点Ｐ１は、１１月１日におけるインク残量を示す。同様に、折れ線Ｌ４上の点Ｐ２，Ｐ３，Ｐ４，Ｐ５はそれぞれ、１２月１日、１月１日、２月１日、３月１日におけるインク残量を示す。そして、折れ線Ｌ４上の点Ｐ６は、現時点におけるインク残量を示す。
【００５８】
図１０に示すグラフ表示画面ＤＧ２は、グラフ表示期間内にカートリッジ４１が交換されている場合にグラフ表示処理により表示されるグラフ表示画面の一例である。グラフＧＲ２は、縦軸をインク残量［％］とし、横軸を日時とした折れ線グラフである。
【００５９】
折れ線Ｌ１１は、ブラックのインク残量を示す。折れ線Ｌ１２は、マゼンタのインク残量を示す。折れ線Ｌ１３は、シアンのインク残量を示す。折れ線Ｌ１４は、イエローのインク残量を示す。
【００６０】
折れ線Ｌ１１，Ｌ１２，Ｌ１３，Ｌ１４上において月の初日に対応する箇所には点が表示される。また、折れ線Ｌ１１，Ｌ１２，Ｌ１３，Ｌ１４上において現時点に対応する箇所にも点が表示される。さらに、折れ線Ｌ１１，Ｌ１２，Ｌ１３，Ｌ１４上においてカートリッジ交換日時に対応する箇所にも点が表示される。
【００６１】
例えば、イエローのインク残量を示す折れ線Ｌ１４上の点Ｐ１１は、１１月１日におけるインク残量を示す。同様に、折れ線Ｌ１４上の点Ｐ１２，Ｐ１３，Ｐ１４，Ｐ１５，Ｐ１６はそれぞれ、１２月１日、１月１日、２月１日、３月１日、４月１日におけるインク残量を示す。
【００６２】
また、折れ線Ｌ１４上の点Ｐ１７は、カートリッジ交換日時における交換前のインク残量を示す。なお、点Ｐ１７は、Ｓ３８０の処理で取得された情報に基づいて表示される。そして、折れ線Ｌ１４上の点Ｐ１８は、現時点におけるインク残量を示す。
次に、情報処理装置１０の制御部１１が実行する情報表示処理の手順を説明する。情報表示処理は、折れ線グラフが表示されている場合に繰り返し実行される。
【００６３】
情報表示処理が実行されると、制御部１１は、図７に示すように、まずＳ６１０にて、カーソルが折れ線グラフの点の上に配置されているか否かを判断する。ここで、カーソルが折れ線グラフの点の上に配置されていない場合には、制御部１１は、情報表示処理を終了する。
【００６４】
一方、カーソルが折れ線グラフの点の上に配置されている場合には、制御部１１は、Ｓ６２０にて、カーソルが最新の日時の点の上に配置されているか否かを判断する。ここで、最新の日時の点ではない場合には、制御部１１は、Ｓ６３０にて、カーソルが配置されている点に対応するカートリッジ色（以下、カーソル対応色）について、累積クリーニング回数と、印刷枚数と、平均カバレッジと、ＩＳＯ換算枚数と、インク残量とを示す使用関連オブジェクトをグラフ表示画面内に追加して表示し、情報表示処理を終了する。具体的には、制御部１１は、グラフデータ算出処理による算出結果から、カーソル対応色について、カーソルが配置されている点の日時に対応した累積クリーニング回数と、累積印刷ページ数と、平均カバレッジと、ＩＳＯ換算枚数と、インク残量とを抽出して、使用関連オブジェクトとして表示する。
【００６５】
図８に示す使用関連オブジェクトＯＢ１は、折れ線グラフＧＲ１において、折れ線Ｌ４上の点Ｐ４の上にカーソルＣＳが配置されているときに表示される。使用関連オブジェクトＯＢ１はオブジェクトＯＢ１１、オブジェクトＯＢ１２、オブジェクトＯＢ１３およびオブジェクトＯＢ１４を含む。
【００６６】
オブジェクトＯＢ１１は、２月１日時点におけるイエローの累積手動クリーニング回数および累積自動クリーニング回数を示す。オブジェクトＯＢ１２は、２月１日時点におけるイエローの印刷枚数（すなわち、累積印刷ページ数）と、平均カバレッジと、ＩＳＯ換算枚数とを示す。オブジェクトＯＢ１３は、２月１日時点におけるイエローのインク残量を示す。
【００６７】
オブジェクトＯＢ１４は、インク残量画像ＩＲ１と、インク残量画像ＩＲ２と、使用状況指示画像ＵＣ１とを含む。インク残量画像ＩＲ１は、２月１日時点におけるイエローのカートリッジ４１のインク残量を示す。インク残量画像ＩＲ２は、２月１日時点におけるイエローのサブタンク４２のインク残量を示す。使用状況指示画像ＵＣ１は、インク残量が１００％である状態から、現時点のインク残量までの遷移を示す。
【００６８】
またＳ６２０にて、最新の日時の点である場合には、制御部１１は、Ｓ６４０にて、カーソル対応色について、累積クリーニング回数と、印刷枚数と、平均カバレッジと、ＩＳＯ換算枚数と、インク残量と、印刷可能枚数と、交換予測時期とを表示して、情報表示処理を終了する。具体的には、制御部１１は、グラフデータ算出処理による算出結果から、カーソル対応色について、現時点に対応した累積クリーニング回数と、累積印刷ページ数と、平均カバレッジと、ＩＳＯ換算枚数と、インク残量と、印刷可能枚数と、交換予測時期とを抽出して、使用関連オブジェクトおよび交換予測時期オブジェクトとして表示する。
【００６９】
図９に示す使用関連オブジェクトＯＢ２は、折れ線グラフＧＲ１において、折れ線Ｌ４上の点Ｐ６の上にカーソルＣＳが配置されているときに表示される。使用関連オブジェクトＯＢ２はオブジェクトＯＢ２１、オブジェクトＯＢ２２、オブジェクトＯＢ２３およびオブジェクトＯＢ２４を含む。
【００７０】
オブジェクトＯＢ２１は、現時点におけるイエローの累積手動クリーニング回数および累積自動クリーニング回数を示す。オブジェクトＯＢ２２は、現時点におけるイエローの印刷枚数と、平均カバレッジと、ＩＳＯ換算枚数とを示す。オブジェクトＯＢ２３は、現時点におけるイエローのインク残量を示す。
【００７１】
オブジェクトＯＢ２４は、インク残量画像ＩＲ３と、インク残量画像ＩＲ４と、使用状況指示画像ＵＣ２とを含む。インク残量画像ＩＲ３は、２月１日時点におけるイエローのカートリッジ４１のインク残量を示す。インク残量画像ＩＲ４は、２月１日時点におけるイエローのサブタンク４２のインク残量を示す。使用状況指示画像ＵＣ２は、インク残量が１００％である状態から、現時点のインク残量までの遷移を示す。
【００７２】
図９に示す交換予測時期オブジェクトＯＢ３は、折れ線グラフＧＲ１において、折れ線Ｌ４上の点Ｐ６の上にカーソルＣＳが配置されているときに表示される。交換予測時期オブジェクトＯＢ３はオブジェクトＯＢ３１、オブジェクトＯＢ３２およびオブジェクトＯＢ３３を含む。
【００７３】
オブジェクトＯＢ３１は、現時点におけるイエローによる印刷可能枚数をＩＳＯ換算および使用状況換算で示す。オブジェクトＯＢ３２は、イエローのカートリッジ４１が空になることによる交換予測時期と、イエローのサブタンク４２が空になることによる交換予測時期とを示す。
【００７４】
オブジェクトＯＢ３３は、インク残量画像ＩＲ５と、インク残量画像ＩＲ６と、インク残量指示画像ＵＣ３とを含む。インク残量画像ＩＲ５は、現時点におけるイエローのカートリッジ４１のインク残量を示す。インク残量画像ＩＲ６は、現時点におけるイエローのサブタンク４２のインク残量を示す。インク残量指示画像ＵＣ３は、現時点のインク残量から、インク残量が０％になるまでの遷移を示す。
【００７５】
以上説明した実施形態によれば、以下の効果を奏する。
本実施形態の情報処理装置１０は、ユーザが、インク残量の経時的変化を示す折れ線グラフにおける点を選択すると、カートリッジ４１が交換されてから、選択した点に対応する日時までのクリーニング回数および印刷枚数と、インク残量とを表示する。これにより、情報処理装置１０は、折れ線グラフにおける点をユーザに順次選択させるという簡便な方法により、複数の日時におけるクリーニング回数、印刷枚数およびインク残量をユーザに提供することができる。このため、情報処理装置１０は、インク残量が減少した原因を把握するための情報をユーザが容易に取得できるようにすることができる。
【００７６】
また情報処理装置１０は、選択された点が折れ線グラフにおける最新の時刻に対応している場合、カートリッジ４１を交換する必要がある時期を予測した交換予測時期情報を示す交換予測時期オブジェクトＯＢ３を表示部１３に表示する。これにより、情報処理装置１０は、カートリッジ４１の交換時期を把握するための情報をユーザが容易に取得できるようにすることができる。
【００７７】
また情報処理装置１０は、選択された点が折れ線グラフにおける最新の時刻に対応している場合、サブタンク４２が空になる時期を予測したサブタンク予測時期を示すオブジェクトＯＢ３２を表示部１３に表示する。これにより、情報処理装置１０は、サブタンク４２の交換時期を把握するための情報をユーザが容易に取得できるようにすることができる。
【００７８】
また情報処理装置１０は、サブタンク４２およびカートリッジ４１のインク使用情報とインク残量とを含むオブジェクトＯＢ２４，ＯＢ３３をグラフ表示画面ＤＧ１と共に表示する。これにより、情報処理装置１０は、サブタンク４２およびカートリッジ４１のインク使用情報とインク残量を把握するための情報をユーザが容易に取得できるようにすることができる。
【００７９】
以上説明した実施形態において、情報処理装置１０は表示制御装置に相当し、Ｓ１０〜Ｓ８０，Ｓ２１０，Ｓ２２０は情報取得処理および情報取得ステップに相当し、Ｓ３１０〜Ｓ４２０，Ｓ５１０，Ｓ５２０はグラフ表示処理グラフ表示ステップに相当する。
【００８０】
また、Ｓ６１０は選択判断処理および選択判断ステップに相当し、Ｓ６２０〜Ｓ６４０は関連情報表示処理および関連情報表示ステップに相当する。
また、累積印刷ページ数、累積印刷時インク使用量、累積手動クリーニング回数および累積自動クリーニング回数は着色剤関連情報に相当し、折れ線グラフはグラフ情報に相当し、折れ線グラフ上の点は特定の位置に相当し、クリーニング回数、印刷枚数およびインク残量は使用関連情報に相当する。
【００８１】
また、オブジェクトＯＢ１１，ＯＢ２１で示されるクリーニング回数はクリーニング回数情報に相当し、オブジェクトＯＢ３２で示されるサブタンク予測時期はサブタンク予測時期情報に相当する。また、オブジェクトＯＢ３２は空予測時期オブジェクトに相当し、オブジェクトＯＢ２４，ＯＢ３３はインク使用情報とインク残量とを含むオブジェクトに相当する。
以上、本開示の一実施形態について説明したが、本開示は上記実施形態に限定されるものではなく、種々変形して実施することができる。
【００８２】
情報処理装置として、情報処理装置１０は一例であり、本発明は、情報処理装置１０以外の他の情報処理装置に対しても適用可能である。
画像形成装置として、画像形成装置３０は一例であり、本発明は、画像形成装置３０以外の他の構成の印刷デバイスに対しても適用可能である。
【００８３】
上記実施形態では、着色剤がインクである形態を示したが、着色剤がトナーであってもよい。
上記実施形態では、情報処理装置１０の制御部１１が表示制御プログラム２１を実行することにより、各種情報を表示部１３に表示する形態を示した。しかし、画像形成装置３０の制御部３１が表示制御プログラム２１を実行することにより、各種情報を表示部３３に表示するようにしてもよい。この場合には、画像形成装置３０が表示制御装置に相当する。
【００８４】
上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。
【００８５】
上述した情報処理装置１０および画像形成装置３０の他、当該情報処理装置１０および画像形成装置３０を構成要素とするシステム、当該情報処理装置１０および画像形成装置３０としてコンピュータを機能させるためのプログラム、このプログラムを記録した半導体メモリ等の非遷移的実態的記録媒体、表示制御方法など、種々の形態で本開示を実現することもできる。
【符号の説明】
【００８６】
１０…情報処理装置、１１，３１…制御部、１２，３２…記憶部、１３，３３…表示部、１４，３４…入力部、２１…表示制御プログラム、３０…画像形成装置
【図１】
2020166472.tif 000003
【図２】
2020166472.tif 000004
【図３】
2020166472.tif 000005
【図４】
2020166472.tif 000006
【図５】
2020166472.tif 000007
【図６】
2020166472.tif 000008
【図７】
2020166472.tif 000009
【図８】
2020166472.tif 000010
【図９】
2020166472.tif 000011
【図１０】
2020166472.tif 000012